(57)【要約】【課題】使用する工具が少なく規格寸法通り安全かつ容易にしかも確実にさらに 内部導体に傷をつけることなく同軸ケーブルの接栓作業を可能とする。【解決手段】円筒状の本体２と蓋体３とからなり、蓋体３は、外側シース切断刃８と絶縁体切断刃９を備え、本体３に装着され回転可能に留め金具４で接続し、バネ５により外方向に開くように構成され、外側シース切断刃８は、蓋体が止まるところまで閉じられたときには同軸ケーブルの外側シースのみが切れる寸法に設定され取り付けられ、絶縁体切断刃９は、蓋体を止まるところまで閉じた時には、外側シース、外部導体、絶縁体を切り、内部導体を傷つけることがない寸法に設定され取り付けられ、同軸ケーブルを本体２に挿入して、蓋体を手で押さえて、本体２の片側に寄せられた状態で、本体を回転させることにより、外側シース、外部導体、絶縁体に切込を入れるようにしたことを特徴とする同軸ケーブル接栓加工具。【選択図】  図１
2015228339.tif 000002
【特許請求の範囲】
【請求項１】
円筒状の本体２と蓋体３とからなり、蓋体３は、外側シース切断刃８と絶縁体切断刃９を備え、本体３に装着され回転可能に留め金具４で接続し、バネ５により外方向に開くように構成され、本体２には、蓋体２が閉じたときに、蓋体３の外側シース切断刃８と絶縁体切断刃９の対応する位置に案内溝６、７を設け、本体２の内部には、同軸ケーブルの剥がす長さを確保するための同軸ケーブルストッパー１０を備え、外側シース切断刃８は、蓋体が止まるところまで閉じられたときには同軸ケーブルの外側シースのみが切れる寸法に設定され取り付けられ、絶縁体切断刃９は、蓋体を止まるところまで閉じた時には、外側シース、外部導体、絶縁体を切り、内部導体を傷つけることがない寸法に設定され取り付けられ、同軸ケーブルを本体２に挿入して、蓋体を手で押さえて、本体２の片側に寄せられた状態で、本体を回転させることにより、外側シース、外部導体、絶縁体に切込を入れるようにしたことを特徴とする同軸ケーブル接栓加工具。
【請求項２】
本体２の、同軸ケーブルを挿入する側とは異なる他端に、F型接栓保持金具を設けたことを特徴とした請求項１記載の同軸ケーブル接栓加工具。
【発明の詳細な説明】
【技術分野】
【０００１】
この発明は各種機器等に同軸ケーブルを接続する際に用いる接栓を同軸ケーブルに装着したり、あらかじめ同軸ケーブルの絶縁体を剥がすなどの端末処理しておくことができる同軸ケーブル接栓加工具に関するものである。
【背景技術】
【０００２】
従来同軸ケーブルにF型接栓を組み付けるには、ペンチナイフ等の工具を用いて、絶縁体を剥がすなどの端末処理をし接栓と同軸ケーブルを固定していた。
【０００３】
同軸ケーブルの剥ぎ加工をする工具としてナイフ、ペンチ等を用いて、手作りにて各部材の突出量（剥ぎ長さ）は概ね決められている為、作業時にその突出量を物差し等で計測しながら剥ぎ加工を実施していた。
【発明の概要】
【発明が解決しようとする課題】
【０００４】
しかしながらナイフやペンチ等の工具を用いて加工しようとした場合接栓自体のサイズが小さく手では保持しにくい為、同軸ケーブルに取り付ける際に別の工具で挟む必要があり作業性が悪く手間と時間がかかるという課題を有していた。
【０００５】
さらに前記F型接栓装着工具は持ち運びができるものの嵩が高く数個の工具を持ち運ばなければならないのでまとまりがつかない為同軸ケーブルは予め別の工具を用いて端末処理をしたものを用いなければならず作業性に劣るという課題を有していた。
【０００６】
また同軸ケーブルの端末処理においては内部導体、絶縁体、外部導体、外側シースの剥ぎ長さを物差し等で計測しながらナイフや工具を用いて加工しなければならず接栓取付前の同軸ケーブルの端末処理に手間と時間がかかるという課題を有していた。
【０００７】
前記の同軸ケーブル端末処理工具は操作性に優れているものの大掛かりな工具であり持ち運びするには困難という課題を有していた。
【０００８】
さらに、この端末処理工具では同軸ケーブルに接栓を組み付けるには別の工具を用いなければならないという課題を有していた。
【０００９】
その為、同軸ケーブルの接栓組付け加工においては容易に接栓が保持できて加工性が良い接栓装着具と組み付け加工前の同軸ケーブルの剥ぎ加工においても容易に長さを揃えることができる同軸ケーブル端末処理を兼ねた用具が開発される事が待ち望まれていた。
【００１０】
そこでこの発明は上記の要望を解決するものであり嵩が低く持ち運びに便利で有り同軸ケーブルの剥ぎ長さを容易に揃える事ができかつ組み付け加工性に優れた同軸ケーブル接栓加工具を提供する。
【００１１】
同軸ケーブルの接栓組み付け加工において容易に接栓が保持できて加工性が良い接栓装着具と組付前の同軸ケーブルの外部シース等を容易に長さを揃える事ができ、外側シース等を剥がす等の同軸ケーブル端末処理を兼ねた用具を開発することである。
【課題を解決するための手段】
【００１２】
円筒状の本体２と蓋体３とからなり、蓋体３は、外側シース切断刃８と絶縁体切断刃９を備え、本体３に装着され回転可能に留め金具４で接続し、バネ５により外方向に開くように構成され、
本体２には、蓋体２が閉じたときに、蓋体３の外側シース切断刃８と絶縁体切断刃９の対応する位置に案内溝６、７を設け、本体２の内部には、同軸ケーブルの剥がす長さを確保するための同軸ケーブルストッパー１０を備え、外側シース切断刃８は、蓋体が止まるところまで閉じられたときには同軸ケーブルの外側シースのみが切れる寸法に設定され取り付けられ、絶縁体切断刃９は、蓋体を止まるところまで閉じた時には、外側シース、外部導体、絶縁体を切り、内部導体を傷つけることがない寸法に設定され取り付けられ、同軸ケーブルを本体２に挿入して、蓋体を手で押さえて、本体２の片側に寄せられた状態で、本体を回転させることにより、外側シース、外部導体、絶縁体に切込を入れるようにしたことを特徴とする同軸ケーブル接栓加工具。
【００１３】
本体２のもう一方側にはF型接栓を保持する金具を設けたことを特徴とした同軸ケーブル接栓加工具。
【発明の効果】
【００１４】
この発明の同軸ケーブル接栓加工具は以上に述べたように構成されているので同軸ケーブルへの小さな接栓組付や前処理となる同軸ケーブルの端末処理が容易にできるので現場作業の利便性が高くなり作業効率が非常によくなるものとなった。
【図面の簡単な説明】
【００１５】
【図１】本発明の同軸ケーブル接栓加工具の斜視図である。
【図２】本発明の同軸ケーブル接栓加工具の側面図である。
【図３】本発明の同軸ケーブル接栓加工具の内部構成図である。（ａ）は同軸ケーブルを挿入した状態  （ｂ）は（ａ）の右側から見た矢視図（ｃ）は蓋を押して回転しながら切断している状態、（ｄ）は（ｃ）の右側から見た矢視図
【図４】同軸ケーブルの斜視図である。
【発明を実施するための形態】
【００１６】
以下この発明の同軸ケーブル接栓加工具を実施するための形態を図面に基づいて詳細に説明する。
【００１７】
図１は本発明の同軸ケーブル接栓加工具の斜視図、図２は、本発明の同軸ケーブル接栓加工具の側面図である。
同軸ケーブル接栓加工具Ｐは、円筒状の本体２と蓋体３とからなる。蓋体３は、外側シース切断刃８と絶縁体切断刃９を備え、蓋体３は、本体２に対して回転可能に、留め金具４で接続され、バネ５により外方向に開くように構成される。
本体２には、蓋体２が閉じたときに、蓋体３の外側シース切断刃８と絶縁体切断刃９が、食い込む位置に、スリット状の案内溝６、７を設ける。
【００１８】
図３に、本発明の同軸ケーブル接栓加工具の内部構成をしめす。（ａ）は同軸ケーブルを挿入した状態  （ｂ）は（ａ）の右側から見た矢視図、（ｃ）は蓋を押して回転しながら切断している状態、（ｄ）は（ｃ）の右側から見た矢視図である。
この発明の同軸ケーブル接栓加工具の本体２の内部は、図３に示すように、同軸ケーブル接栓を組付する際に、規格寸法に適合した、同軸ケーブルの剥がす長さを確保するための同軸ケーブルストッパー１０を備える。この事により本体２に同軸ケーブルを挿入し、その先端に突き当てるだけで規格寸法が確実に確保出来るようにしている。
蓋体２は、押さえると、蓋体２は、本体２の表面に当接し、蓋体は止まる。
外側シース切断刃８は、蓋体が止まるところまで閉られたときには、同軸ケーブルの外側シースのみが切れる寸法に設定され取り付けらえている。
絶縁体切断刃９は、蓋体を止まるところまで閉じた時には外側シース、外部導体、絶縁体を切り内部導体を傷つけることがない寸法に設定され取り付けられている。
【００１９】
図３（ａ）は、同軸ケーブルを挿入した状態を示す。
同軸ケーブルを本体に挿入し、同軸ケーブルストッパー１０に突き当てる。
蓋は閉じられていないので、図３（ｂ）ように同軸ケーブルは、本体２の真ん中付近で浮いた状態にある。
【００２０】
次に、図３の（ｃ）に示すように、更に蓋体３を、手で押さえると、図３（ｄ）のように閉じて同軸ケーブルが本体２の片側に寄せられた状態になり、本体を回転Ｑのように回転させることにより、外側シース、外部導体、絶縁体が規格寸法通りの切込を入れる。
【００２１】
このことにより規格通りの寸法で剥ぎ加工をすることができる。さらに２枚の刃：外側シース切断刃８、絶縁体切断刃９の間隔Ｌは、例えば、２ｍｍ〜３ｍｍにすることにより接栓組み付け時に絶縁体に傷をつけることのないように中心が明確に分かるとともに、接栓の内部で絶縁効果を高める為、接栓のネジ部の所まで絶縁体を組み付ける事ができる。                                                                      
【００２２】
さらに本体２の他端には、接栓を保持する為のF型接栓保持金具１を設けてもよい。その金具の奥には同軸ケーブルの内部導体が容易に貫通するための穴１３を設けている。またその金具にはF型接栓が貫通しないようにストッパー１１を設けている。
【００２３】
上記の接栓保持する金具１に接栓を嵌め込み保持しながら剥ぎ加工をした同軸ケーブルをあてがい手で押し込むことにより容易に確実に組付加工ができる。
【産業上の利用可能性】
【００２４】
本発明の同軸ケーブル接栓加工具は各種機器等に同軸ケーブルを接続する際に同軸ケーブルに装着したり、予め同軸ケーブルの端末処理をしておいたり、また現場での接栓加工が容易に安全に確実にすることができる為、必要不可欠の道具である。
【符号の説明】
【００２５】
Ｐ  同軸ケーブル接栓加工具
1      F型接栓保持金具
２ 本体
３ 蓋体
４ 留め金具
５ バネ
６ 案内溝
７ 案内溝
８ 外側シース切断刃
９ 絶縁体切断刃
１０  同軸ケーブルストッパー
１１接栓  ストッパー
１２  同軸ケーブル
１２１  内部導体
１２２  絶縁体
１２３  外部導体
１２４  外側シース
１３  穴
Ｌ  間隔
Ｑ  回転  
【図１】
2015228339.tif 000003
【図２】
2015228339.tif 000004
【図３】
2015228339.tif 000005
【図４】
2015228339.tif 000006